(57)【特許請求の範囲】
【請求項１】
スライディングフォーム工法によりプレストレストコンクリート構造の円筒状構造物の側壁を構築するスライド型枠装置において、該側壁の内外平均半径とほぼ等しい半径を有する水平環状のエンドレスループ牽引索を、該エンドレスループ牽引索の軸に沿って移動自在に支持する多数のローラガイド装置と、該エンドレスループ牽引索をエンドレスループ牽引索の軸に沿って移動させる駆動装置と前記エンドレスループ牽引索にＰＣ緊張材を結合可能な位置に配設した複数のＰＣ緊張材コイル載置架台とから成り、前記ローラガイド装置は、２本の縦ローラと１本の水平ローラとを上側開放のコの字形に配設し、該水平ローラは下方に傾動可能に一端をヒンジ構造とし、前記ローラガイド装置とＰＣ緊張材コイル載置架台とをスライド型枠装置に装着したことを特徴とする緊張材の配設装置。
【請求項２】
前記ローラガイド装置は、スライド型枠装置のせき板を固定した移動ヨークに取り付けられていることを特徴とする請求項１記載の緊張材の配設装置。
【請求項３】
前記駆動装置は、前記エンドレスループ状牽引索のほぼ半周位置に両端を固定しその中間部を駆動ドライブ軸に巻掛けた動力伝達機構であることを特徴とする請求項１又は２記載の緊張材の配設装置。
【請求項４】
前記駆動装置は電動チェーンブロックとリンクチェーンとからなることを特徴とする請求項３記載の緊張材の配設装置。
【請求項５】
前記駆動装置はキャプスタンウインチとワイヤロープとからなることを特徴とする請求項３記載の緊張材の配設装置。
【請求項６】
前記ＰＣ緊張材コイル載置架台は円筒状構造物のピラスター近傍に配設することを特徴とする請求項１〜５のいずれかに記載の緊張材の配設装置。
【発明の詳細な説明】
【０００１】
【発明の属する技術分野】
本発明は、プレストレストコンクリート製の円筒状構造物のプレストレスを導入する緊張材の配設装置に関し、更に詳しくは、スライディングフォーム工法により円筒状構造物の壁体を連続的に構築する場合の緊張材の配設装置に係るものである。
【０００２】
【従来の技術】
コンクリート製の煙突やサージタンク、セメントサイロなどの塔状又は円筒状の構造物や容器を構築する場合、構造物の壁体部に沿って多数の壁体型枠を支持しながら型枠をせり上げる押上装置を設置し、壁体コンクリートを打設してそのコンクリートの必要最小限の強度が発現した段階で型枠をせり上げつつ連続的にコンクリートを打ち増しして円周壁体を構築してゆく構築方法がある。このような構築方法はスライディングフォーム工法又はスリップフォーム工法と呼ばれている。このような方法は、連続的にコンクリートを打ち継ぐので、新旧コンクリートの打継部が生じない。従って、水などの流体やセメントなどの微粉体を収納保存しても漏出が生じないという優位性を有する。また、この方法で構築される構造物に内圧が作用する可能性がある場合には、円周方向にプレストレスを導入してその内圧に抵抗させるプレスレストコンクリート構造の容器構造物とすることが行われている。
【０００３】
しかし、この連続的にコンクリート打ち継ぐ方法では、極めて短時間に、型枠のせり上げ、鉄筋の組立て、緊張材の配設、コンクリートの打設を行う必要がある。
特に長尺の緊張材の配設は短時間で効率的な作業が望まれている。一般的に、円筒状構造物の緊張材は円周を複数に分割した長さの緊張材長さとし、緊張作業位置で交差させ定着する方法が採られている。その複数本の緊張材を個別に配設するとその本数分の所要時間が必要となり効率的でない。これを解決する技術の一例として特公昭５７−５１５０２号公報に、型枠装置上に緊張材の収納ボビン、送り出しウインチ、巻取りウインチを設置し、これらを円周状に取り付けたレール上を走行するトロリーで牽引し、複数本の緊張材を配設する技術が開示されている。同公報の実施例に円周を３分割した緊張材の配列例が示されているが、送り出し、巻取りの二台のウインチを使用して、３分割した同一水平面に配設する緊張材を、始めに２本同時に牽引し、引き続いて残り１本を配設する工程が示されている。
【０００４】
【発明が解決しようとする課題】
上記手段は従来の人力による緊張材配設技術に比較すれば優れた技術ではあったが、さらに効率的な手段の開発が要望されていた。本発明はこのような実情に鑑み、コンクリート打設の１施工単位（１リフト）の同一水平面に配設する複数分割された緊張材を同時に配設し、クリチカルパスの短縮が可能な緊張材の配設装置を提供することを目的とする。
【０００５】
【課題を解決するための手段】
本発明は上記問題点を解決するために開発されたもので、スライディングフォーム工法によりプレストレストコンクリート構造の円筒状構造物の側壁を構築する方法であって、円筒状構造物内に配設すべきＰＣ緊張材の配設曲率半径とほぼ等しい曲率半径を有するエンドレスループ牽引索を、コンクリート打設位置より上方の位置に、ほぼ水平な環状に、エンドレスループ牽引索の軸に沿って移動可能に配設し、複数のＰＣ緊張材の先端部を前記エンドレスループ状牽引索にそれぞれ仮止めし、エンドレスループ牽引索を移動させ、配設すべき長さのＰＣ緊張材を該エンドレスループ牽引索に添って引き出し、次いで引き出したＰＣ緊張材を円筒状構造物のコンクリート打設位置まで降下させて配置する緊張材の配設方法に適用される装置である。
【０００６】
上記方法を好適に実施をすることができる本発明の装置は、スライディングフォーム工法によりプレストレストコンクリート構造の円筒状構造物の側壁を構築するスライド型枠装置において、該側壁の内外平均半径とほぼ等しい半径を有する水平環状のエンドレスループ牽引索を、エンドレスループ牽引索の軸に沿って移動自在に支持する多数のローラガイド装置と、該エンドレスループ牽引索をエンドレスループ牽引索の軸に沿って移動させる駆動装置と、ＰＣ緊張材を繰り出して前記エンドレスループ牽引索に結合可能な位置に配設した複数のＰＣ緊張材コイル載置架台とから成り、前記ローラガイド装置は、２本の縦ローラと１本の水平ローラとを上側開放のコの字形に配設し、該水平ローラは下方に傾動可能に一端をヒンジ構造とし、前記ローラガイド装置とＰＣ緊張材コイル載置架台とをスライド型枠装置に装着したことを特徴とする緊張材の配設装置である。
【０００７】
前記ローラガイド装置は、２本の縦ローラと１本の水平ローラとを上側開放のコの字形に配設し、該水平ローラは下方に傾動可能に一端をヒンジ構造とすることにより、エンドレスループ牽引索及びＰＣ緊張材を円滑にガイドし、またＰＣ鋼材を下方に降下させることができる。
【０００８】
また、前記ローラガイド装置は、移動ヨークに取り付けると側壁の厚さ変化に追随し、常に円芯方向の一定位置にガイドされるので好適である。
前記駆動装置としては、エンドレスループ牽引索をエンドレスループ牽引索の軸に沿って自在に移動させることができる駆動装置であれば形式を問わないが、スライド型枠装置に装着できる簡易な装置であることが好ましく、例えば前記エンドレスループ状牽引索のほぼ半周位置に両端を固定しその中間部を駆動ドライブ軸に巻掛けた動力伝達機構を用いると好適である。この場合に、前記駆動装置は電動チェーンブロックとリンクチェーンとからなる機構でもよく、又はキャプスタンウインチとワイヤロープとからなる機構でもよい。
【０００９】
前記ＰＣ緊張材コイル載置架台は円筒状構造物のピラスター近傍に配設することにより、ＰＣ鋼材の所要長さを過不足なく引出すことが容易となるので好ましい。
なお、スライド型枠装置の型枠部分やスライド機構などは、公知のものを利用すればよい。
【００１０】
【発明の実施の形態】
本発明は、スライド型枠装置を用いてスライディングフォーム工法により、プレストレストコンクリート構造の円筒状構造物の側壁を構築する場合に、前記スライド型枠装置にローラガイド装置を取り付けるとともに、所定位置の複数の前記スライド型枠装置に緊張材コイルを載置する架台を設け、更に隣り合うコイル架台の中間位置の一基のスライド型枠装置に駆動索の駆動装置を設置し、前記ローラガイド装置内にエンドレスループ状牽引索を配設するとともに、前記牽引索のほぼ半周位置を両端の固定点としてその中間部を前記駆動装置のドライブ軸に巻掛け、前記牽引索を駆動走行可能に配設しておき、前記緊張材コイルより緊張材の一端を取り出し、その緊張材の一端を牽引索に仮固定して駆動索の駆動走行によって、前記側壁の円周に合わせ緊張材を引き出し、その後、所定配筋位置、すなわち、緊張材の緊張定着位置であるピラスターの近傍の位置まで、降下配設する緊張材の配設方法に適用される技術である。そして、前記駆動装置として電動チェーンブロックを使用し、駆動索としてリンクチェーンを使用すれば確実に駆動走行が可能となる。又は、駆動索としてワイヤロープを使用し、駆動装置としてキャプスタンウインチを用いても同様に駆動可能である。
【００１１】
以下、本発明の実施の形態について図面を参照して詳細に説明する。
図１は、本発明方法を適用する対象のプレストレストコンクリート構造の円筒容器（円筒状構造物）１の側面図、図２は、図１のＡ−Ａ矢視図である。側壁２には緊張材の緊張定着のためのピラスター３が６箇所設けてあり、側壁２内にＰＣ緊張材１１が配設される。ＰＣ緊張材の緊張定着は、円筒容器１の中心角１２０°位置にあるピラスター３にそれぞれ交差して定着されるように、円周が３本のＰＣ緊張材に分割されている。
【００１２】
図３は、図２のＢ部詳細図でピラスター３内で定着具１２によって定着するＰＣ緊張材１１の配置状況を示している。なお、図１から図３は、主として緊張材の位置関係の説明図であるから、鉄筋などの図示は省略している。
図４〜図６は、スライド型枠装置の一例を示すもので、図４は側面図である。下方の打設済み側壁コンクリート５１中に埋設立設したパイプロッド２５に反力をとり、油圧ジャッキ２４でスライド型枠装置２１をせり上げつつ上昇してゆく。スライド型枠装置２１のフレームには駆動装置３１、配線ローラガイド３２が取り付けられている。側壁の厚さ変化に対してはネジ棒ジャッキ３５でせき板を固定した移動ヨーク２２ａを移動することによって調整することができ、それに伴う駆動索３３の水平方向位置の調整は駆動装置３１を矢印３６方向に移動することにより可能である。
【００１３】
図５は図４の平面図で、１基の型枠スライド装置２１は、２脚のフレーム（固定ヨーク）２２で構成され、構造物中心に向かって４°の角度で１円周に９０本のフレーム（横ヨーク）２３がある。なお、このスライド型枠装置２１のフレームは公知のものである。図６は図４のＣ−Ｃ矢視図で、駆動装置３１を構成する電動チェーンブロック、チェーンブロック駆動軸に中間位置を巻掛けたドライブチェーン（駆動索）３３、エンドレスループ状に配設された引き込みワイヤ（エンドレスループ牽引索）４１の一部を示している。
【００１４】
図７は配線ローラガイド３２の詳細図で、両サイドのガイドローラ４２と、ＰＣ緊張材１００、引き込みワイヤ（エンドレスループ牽引索）４１、ドライブチェーン３３を支持する支持ローラ４３とから構成されている。支持ローラ４３は一端がヒンジ構造となっていて、他端を外すことによって支持ローラ４３ａで示すように矢印４４方向に開くようになっている。これにより、引き出し完了したＰＣ緊張材１００ａを打設済みコンクリート表面の所定配設位置に降下させて固定することが可能となっている。
【００１５】
図８は本実施例のピラスター３Ａ、３Ｂ、３Ｃ、３Ｄ、３Ｅ、３Ｆ、コイル架台６１Ａ、６１Ｂ、６１Ｃ、６１Ｄ、６１Ｅ、６１Ｆの配置図である。スライド型枠装置の図示は省略してある。ピラスターは３Ａ〜３Ｆ、コイル架台も６１Ａ〜６１Ｆのそれぞれ６箇所設け、緊張材は中心角１２０°位置のピラスターでそれぞれ交差して定着するように、１円周に３本の緊張材を使用し、１リフト一周分としている。
【００１６】
図９〜図１１は図８のピラスター３Ａ、３Ｃ、３Ｅ間の緊張材の引込みの説明図で、図９はＰＣ緊張材の引込み開始時、図１０は図９の斜視図、図１１は引込み終了時を示している。エンドレスループ状に配置した引込みワイヤ（牽引索）４１の所定位置にコイル架台６１Ａ、６１Ｃ、６１Ｅのコイルから引き出したＰＣ緊張材１００Ａ、１００Ｃ、１００Ｅのそれぞれ一端をＰＣ緊張材引込固定具６３に仮固定する。引込みワイヤ４１のほぼ半周位置の２点の引込ワイヤ固定具６２、６２に端末を固定したドライブチェーン３３を駆動装置３１でドライブする。この例では時計周りに引込みワイヤ４１を移動させる。引込みワイヤ４１のワイヤ軸に沿った移動に伴い、それぞれのコイル架台６１Ａ、６１Ｃ、６１Ｅに載置された緊張材コイル６４Ａ、６４Ｃ、６４ＥからＰＣ緊張材１００Ａ、１００Ｃ、１００Ｅが矢印７４方向に引き出される。そして図１０に示す位置になり、一周分３本のＰＣ緊張材を同時に配設完了する。引き続き必要な鉄筋の組立、型枠のせり上げ、コンクリートの打設を行う。
【００１７】
図１２〜図１４は図８のピラスター３Ｂ、３Ｄ、３Ｆ間の引き込みの説明図で、図９〜図１１と同様である。すなわち、図１２は引込み開始時、図１３は図１２の斜視図、図１４は引込み終了時を示すものである。ドライブチェーン３３は前回の緊張材配設終了時の位置にあり、それぞれＰＣ緊張材１００Ｂ、１００Ｄ、１００Ｆの端末を引出し、引込みワイヤ４１に固定して駆動装置３１で矢印７５に示すように引き出す。今回は反時計回りである。ドライブチェーン３３は前回の終了位置から駆動を開始すればよいので短時間で引き込みが可能となる。次のリフトからも以上の操作を交互に繰り返すことによって、連続的に側壁を構築することが可能となる。
【００１８】
図１５〜図１６はＰＣ緊張材１００、ドライブチェーン３３をそれぞれ引き込みワイヤ４１に固定する固定具の詳細図で、図１５はＰＣ緊張材の端末に取り付けたリードワイヤ１１０端を取り外し容易なようにカラビナ１１１で係止する。図１６はドライブチェーン３３の固定具で、ドライブチェーン３３の端部を引き出しワイヤ４１の半周位置の２点にそれぞれ固定し、ドライブチェーン３３の駆動で引出しワイヤ４１を牽引走行できるように堅固に固定する。
【００１９】
以上の実施例では、ピラスターを６個所に有する円筒状構造物の例について説明したが、緊張材の引き出し固定点を変えることによって、ピラスターの数に制限されることなく適用可能であり、また、ドライブチェーンも駆動装置をキャプスタンウインチに変えることによってワイヤロープなどに代えることも可能である。
【００２０】
【発明の効果】
本発明によれば、円筒状プレストレストコンクリート構造物の壁体のスライド型枠装置にエンドレスループ状の引込みワイヤ（牽引索）を予め配設しておき、引込ワイヤのほぼ半周位置に両端を固定したドライブチェーンを円周に沿って駆動し、引込ワイヤにＰＣ緊張材の一端を固定しておき、駆動装置を動作させることによって、必要本数のＰＣ緊張材を同時に円周上に配設することが可能となる。また、引込ワイヤは時計回り、反時計回りの移動が自由であるので、前回のＰＣ緊張材の配設を終了したときの位置を次回の開始位置とすることができ、作業時間の短縮が可能である。
【００２１】
本発明装置を用いることによって、上記本発明方法を容易に好適に高能率で実施することができる。
【図面の簡単な説明】
【図１】円筒容器（円筒状構造物）の側面図である。
【図２】図１のＡ−Ａ矢視図である。
【図３】図２のＢ部拡大詳細図である。
【図４】スライド型枠装置の側面図である。
【図５】スライド型枠装置の平面図である。
【図６】図４のＣ−Ｃ矢視図である。
【図７】ローラガイドの詳細図である。
【図８】ピラスター、コイル架台の配置図である。
【図９】ピラスター間の緊張材の引込みの説明図である。
【図１０】図９の操作説明図である。
【図１１】ピラスター間の緊張材の引込みの説明図である。
【図１２】ピラスター間の緊張材の引込みの説明図である。
【図１３】図１１の操作説明図である。
【図１４】ピラスター間の緊張材の引込みの説明図である。
【図１５】固定具の詳細図である。
【図１６】固定具の詳細図である。
【符号の説明】
１    円筒容器（円筒状構造物）
２    側壁
３（３Ａ、３Ｂ、３Ｃ、３Ｄ、３Ｅ、３Ｆ）    ピラスター
１１  ＰＣ緊張材
１２  定着具
２１  スライド型枠装置
２２  フレーム（固定ヨーク）
２２ａ  フレーム（移動ヨーク）
２３  フレーム（横ヨーク）
２４  油圧ジャッキ
２５  パイプロッド
３１  駆動装置
３２  配線ローラガイド
３３  ドライブチェーン（駆動索）
３５  ねじ棒ジャッキ
３６  矢印
４１  引込みワイヤ（牽引索）
４２  ガイドローラ
４３  支持ローラ
４４  矢印
４５  矢印
５１  側壁コンクリート
６１Ａ、６１Ｂ、６１Ｃ、６１Ｄ、６１Ｅ、６１Ｆ  コイル架台
６２  引込ワイヤ固定具
６３  ＰＣ緊張材引込固定具
６４Ａ、６４Ｂ、６４Ｃ、６４Ｄ、６４Ｅ、６４Ｆ  コイル
【図１】
0003676560.tif 000002
【図２】
0003676560.tif 000003
【図３】
0003676560.tif 000004
【図４】
0003676560.tif 000005
【図５】
0003676560.tif 000006
【図６】
0003676560.tif 000007
【図７】
0003676560.tif 000008
【図８】
0003676560.tif 000009
【図９】
0003676560.tif 000010
【図１０】
0003676560.tif 000011
【図１１】
0003676560.tif 000012
【図１２】
0003676560.tif 000013
【図１３】
0003676560.tif 000014
【図１４】
0003676560.tif 000015
【図１５】
0003676560.tif 000016
【図１６】
0003676560.tif 000017